(57)【要約】      （修正有）【課題】個人可変情報蓄積量の肥大化を避けつつ適性適職診断、性格分析、占い、運勢判断、相性診断等の個人分析結果を得ることができる診断システムを提供する。【解決手段】ユーザが入力した個人の属性情報および異なる時期にユーザインターフェイス装置から入力した行動、状態、環境等の個人可変情報を受け付け、個人識別ＩＤに関連付けてユーザ管理データベースに蓄積する蓄積手段と、この蓄積されている個人の属性情報と個人可変情報に基づき、ユーザの適性適職診断、運、運勢判断、占い、性格分析または診断、行動分析または診断、思考分析または診断、健康分析または診断、ユーザのおかれた環境の分析または診断、ユーザの能力の分析または診断の少なくともひとつの処理を行うことを特徴とする診断システム。【選択図】図１
2006350983.tif 000002
【特許請求の範囲】
【請求項１】
ユーザインターフェイス装置を介して入力されるユーザの個人属性情報と所与の時期に入力される個人可変情報をユーザ管理データベースに蓄積し、ユーザインターフェイス装置を介して行われたユーザからの処理要求を受けて、蓄積されたユーザの個人属性情報と個人可変情報に基づく処理を行い、処理結果を処理要求を行ったユーザにユーザインターフェイス装置を介して応答するコンピュータシステムであって、
手動または自動で情報収集された個人可変情報を用いる手段と、全期間または一定期間の個人可変情報についての平均値、または標準偏差値、または変化率の平均値、または変化率の標準偏差値、または移動平均そのた他の統計情報、または近似関数を基にして算出した予測値の少なくともいずれか一つを用いて個人可変情報に対して重要度によるランク付けを行う手段と、重要度によるランクを基に蓄積する個人可変情報の選別を行う手段を含むことを特徴とするコンピュータシステム。
【請求項２】
請求項１において、
最初の個人可変情報の収集時から新たに取得する個人可変情報の収集時までの経過時間を、新たに取得する個人可変情報の重要度を算出するためのパラメータの一つとして用いる手段を含むことを特徴とするコンピュータシステム。
【請求項３】
請求項１乃至２のいずれかにおいて、
過去に収集した可変情報の取得時から新たに取得する個人可変情報収集までの各経過時間を、新たに取得する個人可変情報の重要度を算出するためのパラメータの一つとして用いる手段を含むことを特徴とするコンピュータシステム。
【請求項４】
請求項１乃至３のいずれかにおいて、
蓄積する個人可変情報の量に重要度のランクに基づき上限を設けた手段を特徴とするコンピュータシステム。
【請求項５】
請求項１乃至４のいずれかにおいて、
個人可変情報として、時間の経過によって変化する可能性のあるユーザの状態、所与の時点におけるユーザの行動記録、所与の時点におけるユーザの交信記録、所与の時点におけるユーザの滞在地点、当該地点でのユーザの滞在記録、所与の時点におけるユーザの映像表示装置または音響再生装置に対する使用記録、所与の時点におけるカーナビに対するユーザの使用記録、所与の時点におけるロボットに対するユーザの使用記録の少なくともひとつを含み、
個人可変情報の重要度を算出するパラメータとして、個人可変情報に対するユーザによる自己評価、または当該時点のユーザに対する個人属性情報に基づく個人分析による評価、または当該時点のユーザに向けて本システムから出力される個人分析処理結果に対するユーザによる評価の少なくともひとつを含み、
ユーザからの処理要求に対する応答として、ユーザ管理データベースに蓄積されている個人属性情報と個人可変情報に基づき、ユーザの運、運勢判断、占い、性格分析または診断、行動分析または診断、思考分析または診断、健康分析または診断、ユーザのおかれた環境の分析または診断、ユーザの能力の分析または診断の少なくともひとつの個人分析処理を行うことを特徴とするコンピュータシステム。
【請求項６】
請求項５において、
一般公開された個人の属性、行動、状態、環境等の情報をユーザ管理データベースに含むことを特徴とするコンピュータシステム。
【請求項７】
請求項５乃至６のいずれかにおいて、
ユーザからの要求に応じて応答された個人分析処理の結果に対する感想と評価をユーザがユーザインターフェイス装置から数値化可能なパラメータ形式で入力し、前期数値化可能パラメータをユーザ管理データベースに蓄積する個人可変情報の重要度の評価に反映させること、またはユーザ管理データベースに蓄積された一部または全部のユーザの個人属性情報と個人可変情報の統計処理結果をユーザ管理データベースに蓄積する個人可変情報の重要度の評価に反映させること、の少なくとも一つの処理を行う手段を含むことを特徴とするコンピュータシステム。
【請求項８】
請求項５乃至７のいずれかにおいて、
ユーザインターフェイス装置およびユーザ周囲の環境に存在する通信可能状態にあるＩＣタグ、センサー、カメラ、テレビ、ビデオ、オーディオ、カーナビゲーション、ロボット、リモコン装置の少なくともひとつからから自動的に収集されたユーザの行動、状態、ユーザから見た周囲の物的及び人的環境等の個人可変情報をユーザ管理データベースに加えて個人分析処理を行う手段を含むことを特徴とするコンピュータシステム。
【請求項９】
請求項５乃至８のいずれかにおいて、
ユーザが個人可変情報として所定の時間単位または日記代わりにその日またはその間の全体的な感想、または恋愛、金銭、体や健康、仕事や勉強、対人関係の少なくともひとつに関する感想をユーザインターフェイス装置から数値化可能なパラメータ形式で入力し、前記数値化可能なパラメータ形式で入力された個人可変情報をパラメータの一部として用いて個人分析処理を行う手段を含むことを特徴とするコンピュータシステム。
【請求項１０】
請求項５乃至９のいずれかにおいて、
前記個人可変情報にはユーザがユーザインターフェイス装置からテキスト形式で入力したテキスト情報も含み、
前記テキスト情報に所定の単語や文章が含まれているか否かを検索し、所定の単語や文章の存在状況をパラメータの一部として用い個人分析処理を行う手段を含むことを特徴とするコンピュータシステム。
【請求項１１】
請求項５乃至１０のいずれかにおいて、
分析結果の一部として出力する効果音または音声または効果画像、または人間の脳神経系に働きかける効果を持つ電磁波、またはユーザインターフェイス装置の運動の少なくともひとつの態様を分析結果の内容に応じて変化させることを特徴とするコンピュータシステム。
【請求項１２】
請求項５乃至１１のいずれかにおいて、
個人分析結果に付随して、またはユーザからの要求に応じて、または運勢の変り目、人生の節目、相性の良い相手の発見、月初等のユーザによって選択された条件により自動的に行う個人分析処理の結果に応じて個人分析処理の結果に対するコメントを生成する手段を含むことを特徴とするコンピュータシステム。
【請求項１３】
請求項５乃至１２のいずれかにおいて、
複数ユーザからの処理を受け付け、各ユーザを個人識別ＩＤに関連付けて管理する手段を含むことを特徴とするコンピュータシステム。
【請求項１４】
請求項１３において、
所与のユーザからの処理要求を受けた場合に、ユーザ管理データベースに記憶された他のユーザの個人情報も用いて個人分析処理を行うことを特徴とするコンピュータシステム。
【請求項１５】
請求項１３乃至１４のいずれかにおいて、
相性の良い相手を他のユーザの中から検索する手段を含むことを特徴とするコンピュータシステム。
【請求項１６】
請求項１３乃至１５のいずれかにおいて、
所定の期間にユーザ管理データベースに蓄積された他のユーザを含めた全てのまたは一部の個人可変情報に基づき個人分析を行う手段を含むことを特徴とするコンピュータシステム。
【請求項１７】
請求項１３乃至１６のいずれかにおいて、
ユーザからの処理要求として、所与のユーザから当該ユーザと他のユーザとの相性診断要求をうけると、ユーザ管理データベースに蓄積された当該ユーザと他のユーザの情報に基づき相性診断処理を行う手段を含むことを特徴とするコンピュータシステム。
【請求項１８】
請求項１３乃至１７のいずれかにおいて、
前記処理要求として、ユーザ一般に関する分析処理要求をうけると、ユーザ管理データベースに蓄積された一部または全部の個人情報に基づき当該データベースに蓄積されたユーザ及び他の個人データ一般に関する分析処理または検索処理を行う手段、
または当該分析用データベース以外にインターネットやその他のネットワーク上に存在する当該システムによるアクセスが許可されている個人情報を用いて分析処理または検索処理を行う手段のどれか一つの手段を含むことを特徴とするコンピュータシステム。
【請求項１９】
請求項１３乃至１８のいずれかにおいて、
ユーザ相互間のコミュニケーション機能を有し、前記処理要求として、所与のユーザから当該ユーザと情報を発信したユーザとの相性診断要求を受けると、ユーザ管理データベースに蓄積された当該ユーザと情報を発信したユーザの個人情報に基づき相性診断処理を行うことを特徴とするコンピュータシステム。
【請求項２０】
請求項１３乃至１９のいずれかにおいて、
データベースに登録されたユーザの一部に仮想の存在としてテレビやラジオ番組、映画、小説、漫画等の登場人物が含まれることを特徴とするコンピュータシステム。
【請求項２１】
請求項１３乃至２０のいずれかにおいて、
データベースに登録されたユーザの一部にテレビ、ラジオ、映画、小説、漫画の出演者、作家等の実在の人物が本人を識別する記号を付与されて含まれることを特徴とするコンピュータシステム。
【請求項２２】
請求項１３乃至２１のいずれかにおいて、
個人属性情報と個人可変情報をユーザ管理データベースに蓄積する手段と、当該個人情報に基づく個人診断処理手段を含むコンピュータシステムにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とするコンピュータシステム。
【請求項２３】
請求項１３乃至２２のいずれかにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とするコンピュータシステム。
【請求項２４】
請求項１３乃至２３のいずれかにおいて、
前記個人分析処理手段として機能するサーバをふくみ、
前記サーバは、所与のユーザが各ユーザインターフェイス装置から行った処理要求を受信する手段と、
受信した処理要求に応じて行われた個人分析処理の処理結果を当該ユーザが処理要求を行ったユーザインターフェイス装置に向け送信する手段と、
運勢の変り目、人生の節目、相性の良いユーザの発見、月初等のユーザによって選択された条件により自動的に個人分析処理の結果を送信する手段とを含むことを特徴とするコンピュータシステム。
【請求項２５】
請求項１３乃至２４のいずれかにおいて、
前記サーバは、ユーザインターフェイス装置から所与のユーザが入力した個人属性情報および異なる時期に入力した行動、状態、環境等の個人可変情報を受け付け、個人識別ＩＤに関連付け、恋愛分析または診断、適職分析または診断、性格分析または診断、健康分析または診断等の個人分析処理における当該個人可変情報の重要度を評価し、当該重要度により個人可変情報の蓄積量に上限を設けたユーザ管理データベースに蓄積する蓄積手段として機能することを特徴とするコンピュータシステム。
【請求項２６】
請求項１３乃至２５のいずれかにおいて、
前記ユーザインターフェイス装置は、携帯型または車搭載型またはロボット型のユーザインターフェイス装置であることを特徴とするコンピュータシステム。
【請求項２７】
コンピュータが使用可能なプログラムであって、
自動情報収集された個人可変情報を用いる手段と、全期間または一定期間の個人可変情報についての平均値、または標準偏差値、または変化率の平均値、または変化率の標準偏差値、または他の統計情報、または近似関数を基にして算出した予測値の少なくともいずれか一つを用いて個人可変情報に対して重要度によるランク付けを行う手段と、重要度によるランクを基に蓄積する個人可変情報の選別を行う手段を含むことを特徴とするプログラム。
【請求項２８】
請求項２７において、
最初の個人可変情報の収集時から新たに取得する個人可変情報の収集時までの経過時間を、新たに取得する個人可変情報の重要度を算出するためのパラメータの一つとして用いる手段を含むことを特徴とするプログラム。
【請求項２９】
請求項２７乃至２８のいずれかにおいて、
過去に収集した可変情報の取得時から新たに取得する個人可変情報収集までの各経過時間を、新たに取得する個人可変情報の重要度を算出するためのパラメータの一つとして用いる手段を含むことを特徴とするプログラム。
【請求項３０】
請求項２７乃至２９のいずれかにおいて、
蓄積する個人可変情報の量に重要度のランクに基づき上限を設けた手段を特徴とするプログラム。
【請求項３１】
請求項２７乃至３０のいずれかにおいて、
個人可変情報として、時間の経過によって変化する可能性のあるユーザの状態、所与の時点におけるユーザの行動記録、所与の時点におけるユーザの交信記録、所与の時点におけるユーザの滞在地点、当該地点でのユーザの滞在記録、所与の時点におけるユーザの映像表示装置または音響再生装置に対する使用記録、所与の時点におけるカーナビに対するユーザの使用記録、所与の時点におけるロボットに対するユーザの使用記録の少なくともひとつを含み、
個人可変情報の重要度を算出するパラメータとして、個人可変情報に対するユーザによる自己評価、または当該時点のユーザに対する個人属性情報に基づく本システムによる評価、または当該時点のユーザに対する本システムにより出力される個人分析処理結果に対するユーザによる評価の少なくともひとつを含み、
ユーザからの処理要求に対する応答として、ユーザ管理データベースに蓄積されている個人属性情報と個人可変情報に基づき、ユーザの運、運勢判断、占い、性格分析または診断、行動分析または診断、思考分析または診断、健康分析または診断、ユーザのおかれた環境の分析または診断、ユーザの能力の分析または診断の少なくともひとつの個人分析処理を行うことを特徴とするプログラム。
【請求項３２】
請求項３１において、
一般公開された個人の属性、行動、状態、環境等の情報をユーザ管理データベースに含むことを特徴とするプログラム。
【請求項３３】
請求項３１乃至３２のいずれかにおいて、
ユーザからの要求に応じて応答された個人分析処理の結果に対する感想と評価を当該ユーザがユーザインターフェイス装置から数値化可能なパラメータ形式で入力し、前期数値化可能パラメータをユーザ管理データベースに蓄積する個人可変情報の重要度の評価に反映させること、またはユーザ管理データベースに蓄積された一部または全部のユーザの個人属性情報と個人可変情報の統計処理結果をユーザ管理データベースに蓄積する個人可変情報の重要度の評価に反映させること、の少なくとも一つの処理を行う手段を含むことを特徴とするプログラム。
【請求項３４】
請求項３１乃至３３のいずれかにおいて、
ユーザ承諾の上でユーザインターフェイス装置およびユーザ周囲の環境に存在する通信可能状態にあるＩＣタグ、センサー、カメラ、テレビ、ビデオ、オーディオ、カーナビゲーション、ロボット、リモコン装置の少なくともひとつからから自動的に収集されたユーザの行動、状態、環境等の個人可変情報をユーザ管理データベースに加えて個人分析処理を行う手段を含むことを特徴とするプログラム。
【請求項３５】
請求項３１乃至３４のいずれかにおいて、
ユーザが個人可変情報として所定の時間単位または日記代わりにその日またはその間の全体的な感想、または恋愛、金銭、体や健康、仕事や勉強、対人関係の少なくともひとつに関する感想をユーザインターフェイス装置から数値化可能なパラメータ形式で入力し、前記数値化可能なパラメータ形式で入力された個人可変情報をパラメータの一部として用いて個人分析処理を行う手段を含むことを特徴とするプログラム。
【請求項３６】
請求項３１乃至３５のいずれかにおいて、
前記個人可変情報にはユーザがユーザインターフェイス装置からテキスト形式で入力したテキスト情報も含み、
前記テキスト情報に所定の単語や文章が含まれているか否かを検索し、所定の単語や文章の存在状況をパラメータの一部として用い個人分析処理を行う手段を含むことを特徴とするプログラム。
【請求項３７】
請求項３１乃至３６のいずれかにおいて、
分析結果の一部として出力する効果音または音声または効果画像、または人間の脳神経系に働きかける効果を持つ電磁波、またはユーザインターフェイス装置の運動の少なくともひとつの態様を分析結果の内容に応じて変化させることを特徴とするプログラム。
【請求項３８】
請求項３１乃至３７のいずれかにおいて、
個人分析結果に付随して、またはユーザからの要求に応じて、または運勢の変り目、人生の節目、相性の良い相手の発見、月初等のユーザによって選択された条件により自動的に行う個人分析処理の結果に応じて個人分析処理の結果に対するコメントを生成する手段を含むことを特徴とするプログラム。
【請求項３９】
請求項３１乃至３８のいずれかにおいて、
複数ユーザからの処理を受け付け、各ユーザを個人識別ＩＤに関連付けて管理する手段を含むことを特徴とするプログラム。
【請求項４０】
請求項３９において、
所与のユーザからの処理要求を受けた場合に、ユーザ管理データベースに記憶された他のユーザの個人情報も用いて個人分析処理を行うことを特徴とするプログラム。
【請求項４１】
請求項３９乃至４０のいずれかにおいて、
相性の良い相手を他のユーザの中から検索する手段を含むことを特徴とするプログラム。
【請求項４２】
請求項３９乃至４１のいずれかにおいて、
所定の期間にユーザ管理データベースに蓄積された他のユーザを含めた全てのまたは一部の個人可変情報に基づき個人分析を行う手段を含むことを特徴とするプログラム。
【請求項４３】
請求項３９乃至４２のいずれかにおいて、
ユーザからの処理要求として、所与のユーザから当該ユーザと他のユーザとの相性診断要求をうけると、ユーザ管理データベースに蓄積された当該ユーザと他のユーザの情報に基づき相性診断処理を行う手段を含むことを特徴とするプログラム。
【請求項４４】
請求項３９乃至４３のいずれかにおいて、
前記処理要求として、ユーザ一般に関する分析処理要求をうけると、ユーザ管理データベースに蓄積された一部または全部の個人情報に基づき当該データベースに蓄積されたユーザ及び他の個人データ一般に関する分析処理または検索処理を行う手段、
または当該分析用データベース以外にインターネットやその他のネットワーク上に存在する当該システムによるアクセスが許可されている個人情報を用いて分析処理または検索処理を行う手段のどれか一つの手段を含むことを特徴とするプログラム。
【請求項４５】
請求項３９乃至４４のいずれかにおいて、
ユーザ相互間のコミュニケーション機能を有し、前記処理要求として、所与のユーザから当該ユーザと情報を発信したユーザとの相性診断要求を受けると、ユーザ管理データベースに蓄積された当該ユーザと情報を発信したユーザの個人情報に基づき相性診断処理を行うことを特徴とするプログラム。
【請求項４６】
請求項３９乃至４５のいずれかにおいて、
データベースに登録されたユーザの一部に仮想の存在としてテレビやラジオ番組、映画、小説、漫画等の登場人物が含まれることを特徴とするプログラム。
【請求項４７】
請求項３９乃至４６のいずれかにおいて、
データベースに登録されたユーザの一部にテレビ、ラジオ、映画、小説、漫画の出演者、作家等の実在の人物が本人を識別する記号を付与されて含まれることを特徴とするプログラム。
【請求項４８】
請求項３９乃至４７のいずれかにおいて、
個人属性情報と個人可変情報をユーザ管理データベースに蓄積する手段と、当該個人情報に基づく個人診断処理手段を含むプログラムにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とするプログラム。
【請求項４９】
請求項３９乃至４８のいずれかにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とするプログラム。
【請求項５０】
請求項３９乃至４９のいずれかにおいて、
前記個人分析処理手段として機能するサーバをふくみ、
前記サーバは、所与のユーザが各ユーザインターフェイス装置から行った処理要求を受信する手段と、
受信した処理要求に応じて行われた個人分析処理の処理結果を当該ユーザが処理要求を行ったユーザインターフェイス装置に向け送信する手段と、
運勢の変り目、人生の節目、相性の良いユーザの発見、月初等のユーザによって選択された条件により自動的に個人分析処理の結果を送信する手段とを含むことを特徴とするプログラム。
【請求項５１】
請求項３９乃至５０のいずれかにおいて、
前記サーバは、ユーザインターフェイス装置から所与のユーザが入力した個人属性情報および異なる時期に入力した行動、状態、環境等の個人可変情報を受け付け、個人識別ＩＤに関連付け、恋愛分析または診断、適職分析または診断、性格分析または診断、健康分析または診断等の個人分析処理における当該個人可変情報の重要度を評価し、当該重要度により個人可変情報の蓄積量に上限を設けたユーザ管理データベースに蓄積する蓄積手段として機能することを特徴とするプログラム。
【請求項５２】
請求項３９乃至５１のいずれかにおいて、
前記ユーザインターフェイス装置は、携帯型または車搭載型またはロボット型のユーザインターフェイス装置であることを特徴とするプログラム。
【請求項５３】
コンピュータにより使用可能な情報記憶媒体であって、請求項２７乃至５２のいずれかに記載のプログラムを含むことを特徴とする情報記憶媒体。
【請求項５４】
写真情報を連続的に自動収集する装置であって、
メガネに装着し携帯電話と連携して動作することを特徴とする超小型カメラ。
【請求項５５】
連続的に自動収集された写真情報を蓄積する手段として機能するコンピュータシステムであって、
写真情報の中から被写体の属性情報を抽出する手段と、抽出した属性情報を蓄積する手段と、写真情報から被写体と背景を選別する手段と、選別した被写体部分と背景部分のそれぞれの写真情報を蓄積する手段を含むことを特徴とするコンピュータシステム。
【請求項５６】
請求項５５において、
被写体の属性情報として被写体までの距離、または被写体の位置、または被写体の動き、または被写体の色、または被写体の形状、被写体の大きさ、被写体の温度、または被写体の名前の少なくともいずれか一つを抽出する処理を行うことを特徴とするコンピュータシステム。
【請求項５７】
請求項１乃至２６のいずれかにおいて、
請求項５４乃至５６の少なくともいずれか一つを含むことを特徴とするコンピュータシステム。
【請求項５８】
連続的に自動収集された写真情報を蓄積する手段として機能するプログラムであって、
写真情報の中から被写体の属性情報を抽出する手段と、抽出した属性情報を蓄積する手段と、写真情報から被写体と背景を選別する手段と、選別した被写体部分と背景部分のそれぞれの写真情報を蓄積する手段を含むことを特徴とするプログラム。
【請求項５９】
請求項５８において、
被写体の属性情報として被写体までの距離、または被写体の位置、または被写体の動き、または被写体の色、または被写体の形状、被写体の大きさ、被写体の温度、または被写体の名前の少なくともいずれか一つを抽出する処理を行うことを特徴とするプログラム。
【請求項６０】
請求項２７乃至５２のいずれかにおいて、
請求項５８乃至５９の少なくともいずれか一つを含むことを特徴とするプログラム。
【発明の詳細な説明】
【技術分野】
【０００１】  本発明は、蓄積する可変情報の選別、端末装置で用いられる情報を配信する個人診断システム、プログラムおよび情報記憶媒体に関する。
【背景技術】
【０００２】  従来より個人情報を蓄積する適性適職診断や性格分析や相性診断や占いや運勢判断等を行う装置が知られており、ユーザが必要事項を入力すると、適性適職診断や性格分析や相性診断や占いや運勢判断等を行って結果を端末上に表示する装置が人気を博している。【０００３】  すなわちユーザがユーザ端末装置で質問に対する回答や生年月日や血液型や性別、あるいは過去の出来事等を入力すると、処理装置上で入力データに基づき適性適職診断や性格分析や占星術やバイオリズム等の手法を組み込んだプログラムが実行される。そして実行結果がユーザ端末装置上に表示されユーザは実行結果を確認することができるというものである。【０００４】  しかしながら従来の適性適職診断や性格分析や相性診断や占いや運勢判断等は、頻繁に発生するユーザの可変情報について蓄積の仕方は時系列にそったものであって、可変情報について選別して蓄積するものではなかった。そのため診断処理を行うに当たっての必要性の少ないデータを蓄積することがあり、特に自動的に個人可変情報を収集する場合には、データファイルの肥大化により情報が漏洩した際のリスクが大きくなる問題点があった。
【発明の開示】
【発明が解決しようとする課題】
【０００５】  本発明は、上記の課題に鑑みなされたものであり、その目的は蓄積する個人情報の肥大化を避けつつ分析または診断処理において必要性の高い重要なデータの選別法と、選別した可変情報に基づく個人分析診断システム、プログラムおよび情報記憶媒体を提供することにある。
【課題を解決するための手段】
【０００６】（１）請求項１の発明は、
ユーザインターフェイス装置を介して入力されるユーザの個人属性情報と所与の時期に入力される個人可変情報をユーザ管理データベースに蓄積し、ユーザインターフェイス装置を介して行われたユーザからの処理要求を受けて、蓄積されたユーザの個人属性情報と個人可変情報に基づく処理を行い、処理結果を処理要求を行ったユーザにユーザインターフェイス装置を介して応答するコンピュータシステムであって、
自動情報収集された個人可変情報を用いる手段と、全期間または一定期間の個人可変情報についての平均値、または標準偏差値、または変化率の平均値、または変化率の標準偏差値、または他の統計情報、または近似関数を基にして算出した予測値の少なくともいずれか一つを用いて個人可変情報に対して重要度によるランク付けを行う手段と、重要度によるランクを基に蓄積する個人可変情報の選別を行う手段を含むことを特徴とする。
（２）請求項２の発明は
最初の個人可変情報の収集時から新たに取得する個人可変情報の収集時までの経過時間を、新たに取得する個人可変情報の重要度を算出するためのパラメータの一つとして用いる手段を含むことを特徴とする。
（３）請求項３の発明は
過去に収集した可変情報の取得時から新たに取得する個人可変情報収集までの各経過時間を、新たに取得する個人可変情報の重要度を算出するためのパラメータの一つとして用いる手段を含むことを特徴とする。
（４）請求項４の発明は
蓄積する個人可変情報の量に重要度のランクに基づき上限を設けた手段を特徴とする。
（５）請求項５の発明は
個人可変情報として、時間の経過によって変化する可能性のあるユーザの状態、所与の時点におけるユーザの行動記録、所与の時点におけるユーザの交信記録、所与の時点におけるユーザの滞在地点、当該地点でのユーザの滞在記録、所与の時点におけるユーザの映像表示装置または音響再生装置に対する使用記録、所与の時点におけるカーナビに対するユーザの使用記録、所与の時点におけるロボットに対するユーザの使用記録の少なくともひとつを含み、
個人可変情報の重要度を算出するパラメータとして、個人可変情報に対するユーザによる自己評価、または当該時点のユーザに対する個人属性情報に基づく本システムによる評価、または当該時点のユーザに対する本システムにより出力される個人分析処理結果に対するユーザによる評価の少なくともひとつを含み、
ユーザからの処理要求に対する応答として、ユーザ管理データベースに蓄積されている個人属性情報と個人可変情報に基づき、ユーザの運、運勢判断、占い、性格分析または診断、行動分析または診断、思考分析または診断、健康分析または診断、ユーザのおかれた環境の分析または診断、ユーザの能力の分析または診断の少なくともひとつの個人分析処理を行うことを特徴とする。
（６）請求項６の発明は
一般公開された個人の属性、行動、状態、環境等の情報をユーザ管理データベースに含むことを特徴とする。
（７）請求項７の発明は
ユーザからの要求に応じて応答された個人分析処理の結果に対する感想と評価をユーザがユーザインターフェイス装置から数値化可能なパラメータ形式で入力し、前期数値化可能パラメータをユーザ管理データベースに蓄積する個人可変情報の重要度の評価に反映させること、またはユーザ管理データベースに蓄積された一部または全部のユーザの個人属性情報と個人可変情報の統計処理結果をユーザ管理データベースに蓄積する個人可変情報の重要度の評価に反映させること、の少なくとも一つの処理を行う手段を含むことを特徴とする。
（８）請求項８の発明は
ユーザ承諾の上でユーザインターフェイス装置およびユーザ周囲の環境に存在する通信可能状態にあるＩＣタグ、センサー、カメラ、テレビ、ビデオ、オーディオ、カーナビゲーション、ロボット、リモコン装置の少なくともひとつからから自動的に収集されたユーザの行動、状態、環境等の個人可変情報をユーザ管理データベースに加えて個人分析処理を行う手段を含むことを特徴とする。
（９）請求項９の発明は
ユーザが個人可変情報として所定の時間単位または日記代わりにその日またはその間の全体的な感想、または恋愛、金銭、体や健康、仕事や勉強、対人関係の少なくともひとつに関する感想をユーザインターフェイス装置から数値化可能なパラメータ形式で入力し、前記数値化可能なパラメータ形式で入力された個人可変情報をパラメータの一部として用いて個人分析処理を行う手段を含むことを特徴とする。
（１０）請求項１０の発明は
前記個人可変情報にはユーザがユーザインターフェイス装置からテキスト形式で入力したテキスト情報も含み、
前記テキスト情報に所定の単語や文章が含まれているか否かを検索し、所定の単語や文章の存在状況をパラメータの一部として用い個人分析処理を行う手段を含むことを特徴とする。
（１１）請求項１１の発明は
分析結果の一部として出力する効果音または音声または効果画像、または人間の脳神経系に働きかける効果を持つ電磁波、またはユーザインターフェイス装置の運動の少なくともひとつの態様を分析結果の内容に応じて変化させることを特徴とする。
（１２）請求項１２の発明は
個人分析結果に付随して、またはユーザからの要求に応じて、または運勢の変り目、人生の節目、相性の良い相手の発見、月初等のユーザによって選択された条件により自動的に行う個人分析処理の結果に応じて個人分析処理の結果に対するコメントを生成する手段を含むことを特徴とする。
（１３）請求項１３の発明は
複数ユーザからの処理を受け付け、各ユーザを個人識別ＩＤに関連付けて管理する手段を含むことを特徴とする。
（１４）請求項１４の発明は
所与のユーザからの処理要求を受けた場合に、ユーザ管理データベースに記憶された他のユーザの個人情報も用いて個人分析処理を行うことを特徴とする。
（１５）請求項１５の発明は
相性の良い相手を他のユーザの中から検索する手段を含むことを特徴とする。
（１６）請求項１６の発明は
所定の期間にユーザ管理データベースに蓄積された他のユーザを含めた全てのまたは一部の個人可変情報に基づき個人分析を行う手段を含むことを特徴とする。
（１７）請求項１７の発明は
ユーザからの処理要求として、所与のユーザから当該ユーザと他のユーザとの相性診断要求をうけると、ユーザ管理データベースに蓄積された当該ユーザと他のユーザの情報に基づき相性診断処理を行う手段を含むことを特徴とする。
（１８）請求項１８の発明は
前記処理要求として、ユーザ一般に関する分析処理要求をうけると、ユーザ管理データベースに蓄積された一部または全部の個人情報に基づき当該データベースに蓄積されたユーザ及び他の個人データ一般に関する分析処理または検索処理を行う手段、
または当該分析用データベース以外にインターネットやその他のネットワーク上に存在する当該システムによるアクセスが許可されている個人情報を用いて分析処理または検索処理を行う手段のどれか一つの手段を含むことを特徴とする。
（１９）請求項１９の発明は
ユーザ相互間のコミュニケーション機能を有し、前記処理要求として、所与のユーザから当該ユーザと情報を発信したユーザとの相性診断要求を受けると、ユーザ管理データベースに蓄積された当該ユーザと情報を発信したユーザの個人情報に基づき相性診断処理を行うことを特徴とする。
（２０）請求項２０の発明は
データベースに登録されたユーザの一部に仮想の存在としてテレビやラジオ番組、映画、小説、漫画等の登場人物が含まれることを特徴とする。
（２１）請求項２１の発明は
データベースに登録されたユーザの一部にテレビ、ラジオ、映画、小説、漫画の出演者、作家等の実在の人物が本人を識別する記号を付与されて含まれることを特徴とする。
（２２）請求項２２の発明は
個人属性情報と個人可変情報をユーザ管理データベースに蓄積する手段と、当該個人情報に基づく個人診断処理手段を含むコンピュータシステムにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とする。
（２３）請求項２３の発明は
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とする。
（２４）請求項２４の発明は
前記個人分析処理手段として機能するサーバをふくみ、
前記サーバは、所与のユーザが各ユーザインターフェイス装置から行った処理要求を受信する手段と、
受信した処理要求に応じて行われた個人分析処理の処理結果を当該ユーザが処理要求を行ったユーザインターフェイス装置に向け送信する手段と、
運勢の変り目、人生の節目、相性の良いユーザの発見、月初等のユーザによって選択された条件により自動的に個人分析処理の結果を送信する手段とを含むことを特徴とする。
（２５）請求項２５の発明は
前記サーバは、ユーザインターフェイス装置から所与のユーザが入力した個人属性情報および異なる時期に入力した行動、状態、環境等の個人可変情報を受け付け、個人識別ＩＤに関連付け、恋愛分析または診断、適職分析または診断、性格分析または診断、健康分析または診断等の個人分析処理における当該個人可変情報の重要度を評価し、当該重要度により個人可変情報の蓄積量に上限を設けたユーザ管理データベースに蓄積する蓄積手段として機能することを特徴とする。
（２６）請求項２６の発明は
前記ユーザインターフェイス装置は、携帯型または車搭載型またはロボット型のユーザインターフェイス装置であることを特徴とする。
（２７）請求項２７の発明は
コンピュータが使用可能なプログラムであって、
自動情報収集された個人可変情報を用いる手段と、全期間または一定期間の個人可変情報についての平均値、または標準偏差値、または変化率の平均値、または変化率の標準偏差値、または他の統計情報、または近似関数を基にして算出した予測値の少なくともいずれか一つを用いて個人可変情報に対して重要度によるランク付けを行う手段と、重要度によるランクを基に蓄積する個人可変情報の選別を行う手段を含むことを特徴とする。
（２８）請求項２８の発明は
最初の個人可変情報の収集時から新たに取得する個人可変情報の収集時までの経過時間を、新たに取得する個人可変情報の重要度を算出するためのパラメータの一つとして用いる手段を含むことを特徴とする。
（２９）請求項２９の発明は
過去に収集した可変情報の取得時から新たに取得する個人可変情報収集までの各経過時間を、新たに取得する個人可変情報の重要度を算出するためのパラメータの一つとして用いる手段を含むことを特徴とする。
（３０）請求項３０の発明は
蓄積する個人可変情報の量に重要度のランクに基づき上限を設けた手段を特徴とする。
（３１）請求項３１の発明は
個人可変情報として、時間の経過によって変化する可能性のあるユーザの状態、所与の時点におけるユーザの行動記録、所与の時点におけるユーザの交信記録、所与の時点におけるユーザの滞在地点、当該地点でのユーザの滞在記録、所与の時点におけるユーザの映像表示装置または音響再生装置に対する使用記録、所与の時点におけるカーナビに対するユーザの使用記録、所与の時点におけるロボットに対するユーザの使用記録の少なくともひとつを含み、
個人可変情報の重要度を算出するパラメータとして、個人可変情報に対するユーザによる自己評価、または当該時点のユーザに対する個人属性情報に基づく本システムによる評価、または当該時点のユーザに対する本システムにより出力される個人分析処理結果に対するユーザによる評価の少なくともひとつを含み、
ユーザからの処理要求に対する応答として、ユーザ管理データベースに蓄積されている個人属性情報と個人可変情報に基づき、ユーザの運、運勢判断、占い、性格分析または診断、行動分析または診断、思考分析または診断、健康分析または診断、ユーザのおかれた環境の分析または診断、ユーザの能力の分析または診断の少なくともひとつの個人分析処理を行うことを特徴とする。
（３２）請求項３２の発明は
一般公開された個人の属性、行動、状態、環境等の情報をユーザ管理データベースに含むことを特徴とする。
（３３）請求項３３の発明は
ユーザからの要求に応じて応答された個人分析処理の結果に対する感想と評価をユーザがユーザインターフェイス装置から数値化可能なパラメータ形式で入力し、前期数値化可能パラメータをユーザ管理データベースに蓄積する個人可変情報の重要度の評価に反映させること、またはユーザ管理データベースに蓄積された一部または全部のユーザの個人属性情報と個人可変情報の統計処理結果をユーザ管理データベースに蓄積する個人可変情報の重要度の評価に反映させること、の少なくとも一つの処理を行う手段を含むことを特徴とする。
（３４）請求項３４の発明は
ユーザ承諾の上でユーザインターフェイス装置およびユーザ周囲の環境に存在する通信可能状態にあるＩＣタグ、センサー、カメラ、テレビ、ビデオ、オーディオ、カーナビゲーション、ロボット、リモコン装置の少なくともひとつからから自動的に収集されたユーザの行動、状態、環境等の個人可変情報をユーザ管理データベースに加えて個人分析処理を行う手段を含むことを特徴とする。
（３５）請求項３５の発明は
ユーザが個人可変情報として所定の時間単位または日記代わりにその日またはその間の全体的な感想、または恋愛、金銭、体や健康、仕事や勉強、対人関係の少なくともひとつに関する感想をユーザインターフェイス装置から数値化可能なパラメータ形式で入力し、前記数値化可能なパラメータ形式で入力された個人可変情報をパラメータの一部として用いて個人分析処理を行う手段を含むことを特徴とする。
（３６）請求項３６の発明は
前記個人可変情報にはユーザがユーザインターフェイス装置からテキスト形式で入力したテキスト情報も含み、
前記テキスト情報に所定の単語や文章が含まれているか否かを検索し、所定の単語や文章の存在状況をパラメータの一部として用い個人分析処理を行う手段を含むことを特徴とする。
（３７）請求項３７の発明は
分析結果の一部として出力する効果音または音声または効果画像、または人間の脳神経系に働きかける効果を持つ電磁波、またはユーザインターフェイス装置の運動の少なくともひとつの態様を分析結果の内容に応じて変化させることを特徴とする。
（３８）請求項３８の発明は
個人分析結果に付随して、またはユーザからの要求に応じて、または運勢の変り目、人生の節目、相性の良い相手の発見、月初等のユーザによって選択された条件により自動的に行う個人分析処理の結果に応じて個人分析処理の結果に対するコメントを生成する手段を含むことを特徴とする。
（３９）請求項３９の発明は
複数ユーザからの処理を受け付け、各ユーザを個人識別ＩＤに関連付けて管理する手段を含むことを特徴とする。
（４０）請求項４０の発明は
所与のユーザからの処理要求を受けた場合に、ユーザ管理データベースに記憶された他のユーザの個人情報も用いて個人分析処理を行うことを特徴とする。
（４１）請求項４１の発明は
相性の良い相手を他のユーザの中から検索する手段を含むことを特徴とする。
（４２）請求項４２の発明は
所定の期間にユーザ管理データベースに蓄積された他のユーザを含めた全てのまたは一部の個人可変情報に基づき個人分析を行う手段を含むことを特徴とする。
（４３）請求項４３の発明は
ユーザからの処理要求として、所与のユーザから当該ユーザと他のユーザとの相性診断要求をうけると、ユーザ管理データベースに蓄積された当該ユーザと他のユーザの情報に基づき相性診断処理を行う手段を含むことを特徴とする。
（４４）請求項４４の発明は
前記処理要求として、ユーザ一般に関する分析処理要求をうけると、ユーザ管理データベースに蓄積された一部または全部の個人情報に基づき当該データベースに蓄積されたユーザ及び他の個人データ一般に関する分析処理または検索処理を行う手段、
または当該分析用データベース以外にインターネットやその他のネットワーク上に存在する当該システムによるアクセスが許可されている個人情報を用いて分析処理または検索処理を行う手段のどれか一つの手段を含むことを特徴とする。
（４５）請求項４５の発明は
ユーザ相互間のコミュニケーション機能を有し、前記処理要求として、所与のユーザから当該ユーザと情報を発信したユーザとの相性診断要求を受けると、ユーザ管理データベースに蓄積された当該ユーザと情報を発信したユーザの個人情報に基づき相性診断処理を行うことを特徴とする。
（４６）請求項４６の発明は
データベースに登録されたユーザの一部に仮想の存在としてテレビやラジオ番組、映画、小説、漫画等の登場人物が含まれることを特徴とする。
（４７）請求項４７の発明は
データベースに登録されたユーザの一部にテレビ、ラジオ、映画、小説、漫画の出演者、作家等の実在の人物が本人を識別する記号を付与されて含まれることを特徴とする。
（４８）請求項４８の発明は
個人属性情報と個人可変情報をユーザ管理データベースに蓄積する手段と、当該個人情報に基づく個人診断処理手段を含むプログラムにおいて、
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とする。
（４９）請求項４９の発明は
ユーザ管理データベースに登録された所与のユーザの個人情報の公開または非公開のいずれかについての項目ごとの決定を当該ユーザ自身の判断によって行う手段と、当該ユーザの個人情報を公開する手段を含むことを特徴とする。
（５０）請求項５０の発明は
前記個人分析処理手段として機能するサーバをふくみ、
前記サーバは、所与のユーザが各ユーザインターフェイス装置から行った処理要求を受信する手段と、
受信した処理要求に応じて行われた個人分析処理の処理結果を当該ユーザが処理要求を行ったユーザインターフェイス装置に向け送信する手段と、
運勢の変り目、人生の節目、相性の良いユーザの発見、月初等のユーザによって選択された条件により自動的に個人分析処理の結果を送信する手段とを含むことを特徴とする。
（５１）請求項５１の発明は
前記サーバは、ユーザインターフェイス装置から所与のユーザが入力した個人属性情報および異なる時期に入力した行動、状態、環境等の個人可変情報を受け付け、個人識別ＩＤに関連付け、恋愛分析または診断、適職分析または診断、性格分析または診断、健康分析または診断等の個人分析処理における当該個人可変情報の重要度を評価し、当該重要度により個人可変情報の蓄積量に上限を設けたユーザ管理データベースに蓄積する蓄積手段として機能することを特徴とする。
（５２）請求項５２の発明は
前記ユーザインターフェイス装置は、携帯型または車搭載型またはロボット型のユーザインターフェイス装置であることを特徴とする。
（５３）請求項５３の発明は
コンピュータにより使用可能な情報記憶媒体であって、請求項２７乃至５２のいずれかに記載のプログラムを含むことを特徴とする。
（５４）請求項５４の発明は、
写真情報を連続的に自動収集する装置であって、
メガネに装着し携帯電話と連携して動作することを特徴とする。
（５５）請求項５５の発明は、
連続的に自動収集された写真情報を蓄積する手段として機能するコンピュータシステムであって、
写真情報の中から被写体の属性情報を抽出する手段と、抽出した属性情報を蓄積する手段と、写真情報から被写体と背景を選別する手段と、選別した被写体部分と背景部分のそれぞれの写真情報を蓄積する手段を含むことを特徴とする。
（５６）請求項５６の発明は、
被写体の属性情報として被写体までの距離、または被写体の位置、または被写体の動き、または被写体の色、または被写体の形状、被写体の大きさ、被写体の温度、または被写体の名前の少なくともいずれか一つを抽出する処理を行うことを特徴とする。
（５７）請求項５７の発明は、
請求項１乃至２６のいずれかにおいて、請求項５４乃至５６の少なくともいずれか一つを含むことを特徴とする。
（５８）請求項５８の発明は、
連続的に自動収集された写真情報を蓄積する手段として機能するプログラムであって、
写真情報の中から被写体の属性情報を抽出する手段と、抽出した属性情報を蓄積する手段と、写真情報から被写体と背景を選別する手段と、選別した被写体部分と背景部分のそれぞれの写真情報を蓄積する手段を含むことを特徴とする。
（５９）請求項５９の発明は、
被写体の属性情報として被写体までの距離、または被写体の位置、または被写体の動き、または被写体の色、または被写体の形状、被写体の大きさ、被写体の温度、または被写体の名前の少なくともいずれか一つを抽出する処理を行うことを特徴とする。
（６０）請求項６０の発明は、
請求項２７乃至５２のいずれかにおいて、請求項５８乃至５９の少なくともいずれか一つを含むことを特徴とする。
【発明の効果】
【０００７】  本発明によれば、蓄積する個人情報の肥大化を避けつつ分析または診断処理において必要性の高い重要なデータを保存し、個人の属性情報による分析または診断処理に対し、ユーザが端末装置を介して日々変化する生活実態情報によって生活環境との相互作用を分析に加え、実際的で利用価値の高い占いや運勢判断や相性診断等の個人分析結果を得ることができ、これらのサービスを継続的に楽しむことができるゲームシステム、プログラムおよび情報記憶媒体を提供できる。
【発明を実施するための最良の形態】
【０００８】  本発明は端末装置を介して行われた複数のユーザからの処理要求を受けて処理を行い、処理結果を処理要求を行ったユーザに端末装置を介して応答する情報提供システムであって、
ユーザインターフェイス装置から所与のユーザが入力した個人の属性情報および異なる時期にユーザインターフェイス装置から入力した行動、状態、環境等の個人可変情報を受け付け、個人識別ＩＤに関連付け、恋愛分析または診断、適職分析または診断、性格分析または診断、健康分析または診断等の分析または診断処理における当該個人可変情報の重要度を評価し、当該重要度により個人可変情報の蓄積量に上限を設けたユーザ管理データベースに蓄積する蓄積手段と、
所与のユーザからの処理要求をうけると、当該ユーザの個人識別ＩＤに関連付けてユーザ管理データベースに蓄積されている個人の属性情報および個人可変情報に基づいて過去、現在、未来の少なくともひとつに関する当該ユーザの分析または診断処理を行い、処理結果を処理要求を行ったユーザに応答する分析または診断処理手段とを含み、
前記個人可変情報には、
時間の経過によって変化する可能性のあるユーザの状態、所与の時点におけるユーザの行動記録、所与の時点におけるユーザの交信記録、所与の時点におけるユーザの滞在地点、当該地点でのユーザの滞在記録、所与の時点におけるユーザの映像表示装置または音響再生装置に対する使用記録、所与の時点におけるカーナビに対するユーザの使用記録、所与の時点におけるロボットに対するユーザの使用記録の少なくともひとつを含み、
前記個人可変情報の重要度を算出するパラメータとして、
当該ユーザによる自己評価、または当該時点のユーザに対する分析または診断処理による評価、あるいは当該ユーザによる自己評価と当該時点のユーザに対する分析または診断処理による評価との合成評価、または当該時点のユーザに対する分析または診断処理結果に対するユーザによる評価、または可変情報を収集開始から平均値からの隔たりの大きさによる評価の少なくともひとつを含み、
前記分析または診断処理として、
ユーザ管理データベースに蓄積されている個人の属性情報と個人可変情報に基づき、ユーザの運、運勢判断、占い、性格分析または診断、行動分析または診断、思考分析または診断、健康分析または診断、ユーザのおかれた環境の分析または診断、ユーザの能力の分析または診断の少なくともひとつの処理を行うことを特徴とする。【０００９】  また可変情報の重要度を算出し、重要度によって蓄積する情報を識別する本発明は、個人分析の場面に限定されず、自動収集される可変情報を蓄積する場面で重要度によるランク付けに基づき情報を識別する手段を含むことを特徴とする。【００１０】  また本発明にかかるプログラムは、情報記憶媒体又は搬送波によって具現化されるコンピュータにより使用可能なプログラムであって、上記手段をコンピュータに実現させることを特徴とする。また本発明にかかる情報記憶媒体は、コンピュータにより使用可能な情報記憶媒体であって、上記手段をコンピュータに実現させるためのプログラムを記憶することを特徴とする。【００１１】  また、前記端末装置としては、例えばいわゆる携帯電話等の携帯型電話機、通信機能を有する携帯情報端末、通信機能を有する携帯型のユーザインターフェイス装置等でもよいし、また携帯型でない通信機能を有するＰＣ（Ｐｅｒｓｏｎａｌ  Ｃｏｍｐｕｔｅｒ）、通信機能を有するユーザインターフェイス装置等でもよいし、通信機能を有するロボット等でもよい。【００１２】  ユーザと端末装置を１対１に対応させて所与のユーザ端末装置からの処理要求に対する処理結果を当該ユーザ端末装置に返す場合でもよいし、端末装置とユーザの関係を固定せずにユーザが任意の端末装置から処理要求を行い、任意の端末装置から処理結果を受け取る場合でもよい。【００１３】  ユーザ管理データベースは例えばサーバ側に一括して設けられている場合のように物理的に一括して設けられていてもよいし、例えばユーザの各端末装置等に分散して設けられていてもよい。【００１４】  また分析または診断処理手段が行う分析または診断処理は、例えばサーバで一括して集中処理を行う場合でもよいし、サーバが処理要求を出した端末装置に処理用プログラムを送信し端末装置側で分散処理を行う場合でもよい。【００１５】  個人識別ＩＤはユーザを識別できる形式のものであればなんでもよく、契約により取得したユーザＩＤでもよいし、ＩＰアドレス等でもよい。また配列番号と対応づけられていることによる暗黙のユーザＩＤがある場合でもよい。【００１６】  ユーザ情報は、テキストデータで入力されたものでもよいし、選択形式にしたがって選択入力されたものでもよい。またユーザが意識的に入力したものでもよいし、入力情報や操作情報等に基づき自動的に作成されたデータでもよい。またＩＣタグや自動カメラ等から自動的に収集されたものでもよいし、例えば位置情報と地図情報から導かれたものでも良い。【００１７】  また過去に関するユーザの分析または診断処理とは、例えば過去の行動や思考の分析であり、現在に関するユーザの分析または診断処理とは例えば、適性適職診断や性格診断や健康診断や環境診断や今日の運等であり、未来に関する分析または診断処理とは例えば運勢判断や占い等を含む。【００１８】  本発明によれば個人の属性に基づく分析または診断処理とユーザが端末装置を介して送信する日々変化する生活実態との相互作用を反映した適性適職診断や相性診断や占いや運勢判断等の個人分析結果を得ることができ、これらのサービスを継続的に楽しむことができる情報提供システムおよび情報記憶媒体を提供することができる。【００１９】  時間の経過によって変化する可能性のあるユーザの状態とはユーザの精神的、肉体的状態や、ユーザの置かれた環境の状態等を含む。ユーザの精神状態と例えばユーザの気分や感想等であり、ユーザの肉体的状態とは例えば健康状態や身長、体重等であり、ユーザの置かれた状況とは、天候や対人関係や仕事や勉強の進行状態、将来の予定等を含む。【００２０】  またユーザの行動記録とは、例えばユーザが出かけた場所、交通手段、売買行為、来客、その日に吸ったタバコの本数、飲食の内容、金銭の出入り、読書、趣味の実践、何らかのトラブルに遭遇、等である。【００２１】  またユーザの交信記録とは、所定の端末装置からユーザ行った交信の内容や交信相手や交信時間やその他交信状況に関するログ情報でもよい。【００２２】  ユーザのメモとは、ユーザがフリーで端末装置に入力する内容であり、個人分析のテーマ、メモ、日記、スケジュール等を含む。【００２３】  また本発明に係る情報提供システム、情報記憶媒体及びプログラムは、分析または診断処理としてユーザ管理データベースに蓄積されている個人の属性情報と個人可変情報に基づき、ユーザの適性適職診断、運や運勢判断や占い、性格分析または診断、行動分析または診断、思考分析または診断、健康分析または診断、ユーザのおかれた環境の分析または診断、ユーザの能力の分析または診断の少なくともひとつの処理を行うことを特徴とする。【００２４】  例えば各個人の適性や適職、恋愛、体調や健康、金銭、仕事や勉強等の個別の項目ごとに単独に個人分析を行うようにしてもよい。【００２５】  また本発明に係る情報提供システム、情報記憶媒体及びプログラムは、所与のユーザが異なる時期に端末装置から入力した各前記個人可変情報を受け付け、当該個人可変情報の重要度を評価し、当該ユーザの個人識別ＩＤに関連付け重要度順に上限を設けてユーザ管理データベースに蓄積することを特徴とする。【００２６】  個人可変情報の重要度を評価する手段は、個人の属性情報に基づいた分析または診断処理結果と個人可変情報の一致程度の多少を重要度の高低として対応つける方法でもよいし、以前に蓄積された個人可変情報と新たに発生した個人可変情報との共通点の多少を重要度の高低として対応つける方法でも良いし、個人可変情報の変化の大きさを変化率などにより評価して重要度の高低として対応つける方法でもよい。
またユーザ自身による当該可変情報の重要度についての判断を用いてもよいし、個人の属性情報に基づいた分析または診断処理結果と個人可変情報の一致程度をユーザが判断し、一致程度の多少を重要度の高低として対応つける方法でもよいし、分析処理の背景となる理論による価値判断を重要度の高低として対応つける方法でも良いし、ユーザ管理データベース情報または公開個人情報を用いた統計分析の結果に基づき個人可変情報の重要度を算出する方法でもよい。
また普段と違う行動に基づく可変情報の重要度を高く設定しても良いし、繰り返し行われる行動から生じる可変情報の重要度を高く設定しても良い。【００２７】  上限を設けて重要度順にユーザ管理データベースに蓄積する手段とは、以前に蓄積したユーザの個人可変情報と新たに取得した当該ユーザの個人可変情報をあわせた個人可変情報の中から重要度の高い順に、設定された上限値以内でデータを更新することである。【００２８】  本発明によればユーザ管理データベースによって複数の時点の個人可変情報を分析の対象にしつつ、重要度の低いデータを排除してデータファイル肥大化を防ぐことができる。【００２８】  また本発明に係る情報提供システム、情報記憶媒体及びプログラムは、端末装置から入力されるユーザの属性に関する属性情報を受け付け、受け付けた属性情報を当該ユーザの個人識別ＩＤに関連付けてユーザ管理データベースに格納し、前記属性情報と個人可変情報により基づいて相互作用を含めた分析または診断処理を行うことを特徴とする。【００２９】  ユーザの属性情報とは、生年月日、出生時刻、出生地、性別、氏名、住所、生い立ち、職業、血液型や顔の外見などの生体情報等のユーザに付随する情報であり、一般に入力する時期が異なっても日常的には不変な情報のことである。【００３０】  かかる属性情報には、占い、運勢判断、心理分析、相性診断等を行う際の有益な情報が多く含まれているが、実際の適性適職診断、性格分析、占い、運勢診断、心理分析、相性診断等の個人分析の場面では、個人のおかれた環境との相互作用を考慮に入れるものである。【００３１】  このため、個人の属性情報と個人可変情報とを連携して用いることにより、より実際的で有益な個人分析結果に近づくことができる。【００３２】  また本発明に係る情報提供システム、情報記憶媒体及びプログラムは、所与のユーザからの処理要求を受けた場合に、ユーザ管理データベースに記憶された他の個人情報も用いて個人分析を行うことを特徴とする。【００３３】  ユーザ管理データベースに記憶された他の個人情報とは、他のユーザの個人可変情報でもよいし、他のユーザの個人可変情報および属性情報でもよいし、ユーザに限らず一般公開されたものを収集したものでも良い。【００３４】  他のユーザとの比較結果に基づいた相対的な分析結果を出力してもよいし、全個人情報の項目による一般的な傾向についての分析結果を出力してもよいし、他の個人情報の全部または一部を用いた統計分析結果との比較結果でもよい。【００３５】  本発明によればユーザは、統計的データにより自分の個人分析結果の客観的な位置づけを知ることができ、またコミュニケーション機能と連携することにより個人情報を公開せずにユーザ同士の相性分析または診断を行うことができ、また識別記号を付加されたテレビ、ラジオ等の出演者とは相手を確認して相性分析または診断を行えるので楽しみの幅が広がる。【００３６】  また本発明に係る情報提供システム、情報記憶媒体及びプログラムは、ユーザが個人可変情報として所定の時間単位または日記代わりにその日またはその間の全体的な感想、または恋愛、金銭、体や健康、仕事や勉強の少なくともひとつに関する感想、または前記感想と個人分��結果との一致程度を端末装置から数値化可能なパラメータ形式で入力し、前記数値化可能なパラメータ形式で入力された個人可変情報と個人の属性情報とをパラメータとして用いて個人分析を行うことを特徴とする。【００３７】  例えば全体的な感想、または結婚、恋愛、金銭、体や健康、仕事や勉強、対人関係の少なくともひとつに関する感想をパラメータとして用いて、他の公開された個人情報の全体または一部を用いた統計結果と比較して個人分析を行うようにしてもよい。【００３８】  また本発明に係る情報提供システム、情報記憶媒体及びプログラムは、前記個人可変情報にはユーザが端末装置からテキスト形式で入力したテキスト情報も含み、前記テキスト情報に所定の単語や文章が含まれているか否かを検索し、所定の単語や文章の存在状況に基づき個人分析を行うことを特徴とする。【００３９】  また本発明に係る情報提供システム、情報記憶媒体及びプログラムは、所定の期間にユーザ管理データベースに重要度を評価して蓄積された個人可変情報に基づき個人分析を行うことを特徴とする。【００４０】  また本発明に係る情報提供システム、情報記憶媒体及びプログラムは、個人分析結果に付随して、またはユーザからの要求に応じて分析または診断処理の結果に対するコメントを生成することを特徴とする。【００４１】  また本発明に係る情報提供システム、情報記憶媒体及びプログラムは、前記処理要求として、所与のユーザから当該ユーザと他のユーザとの相性診断要求をうけると、ユーザ管理データベースに蓄積された当該ユーザと他のユーザの情報に基づき相性診断処理を行うことを特徴とする。【００４２】  ここにおいて相性診断に用いる情報は当該ユーザと他のユーザとの個人可変情報でもよいし、個人可変情報および属性情報の両方を用いる場合でもよい。【００４３】  本発明によればユーザは日々の生活実感を反映した相性診断結果を得ることができる。また属性情報とともに日々変化する個人可変情報を用いて相性診断を行うものであるため、または新しいユーザの参加が診断結果に影響を与えるものであるため、常に変化する可能性を持つ個人診断結果が得られるので、ユーザは継続的に楽しむことができる。【００４４】  また本発明に係る情報提供システム、情報記憶媒体及びプログラムは、前記処理要求として、一般の個人情報全体に関する分析処理要求をうけると、ユーザ管理データベースに蓄積された一部または全部の個人情報、またはインターネットやその他のネットワーク上にある本情報提供システムからのアクセスが許可されている個人情報を用いて一般人に関する分析処理を行うことを特徴とする。【００４５】  また本発明に係る情報提供システム、情報記憶媒体及びプログラムは、分析結果に付随して出力する効果音およびキャラクタの効果画像、または人間の脳神経系に働きかける効果を持つ電磁波、またはユーザインターフェイス装置の運動の態様を分析結果の内容に応じて変化させることを特徴とする。この場合の電磁波は視覚や聴覚等の五感に働きかけるものでも、直接的に神経系に流れる信号を変化させるものでも良い。【００４６】  また本発明に係る情報提供システムは、前記分析または診断処理手段として機能するサーバをふくみ、前記サーバは、所与のユーザが各端末装置から行った処理要求を受信する手段と、受信した処理要求に応じて行われた分析または診断処理の処理結果を当該ユーザが処理要求を行った端末装置に向け送信する手段と、
運勢の変り目、人生の節目、相性の良いユーザの発見、月初等のユーザによって選択された条件により自動的に分析または診断処理の結果を送信する手段とを含むことを特徴とする。【００４７】  また本発明に係る情報提供システムの前記サーバは、所与のユーザが異なる時期に端末装置から入力する前記個人可変情報を受け付け、当該ユーザの個人識別ＩＤに関連付けて重要度によって選別し、情報の蓄積数に上限を設けてユーザ管理データベースに蓄積する蓄積手段として機能することを特徴とする。【００４８】  また本発明に係る情報提供システムの前記サーバはネットワーク上に存在する他の個人情報データベースサーバに対しては個人情報の検索要求を発行する要求手段として機能することを特徴とする。【００４９】  また本発明に係る情報提供システムの前記サーバはネットワーク上に存在する他の個人情報データベースシステムに対して、相性のよい相手の条件を算出する手段として機能することを特徴とする。
【実施例】
【００５０】  以下、本発明をフローチャートを参照しつつ説明する。【００５１】  図１はこの発明全体の一実施形態を示すフローチャートである。
手順１  ユーザが初めてゲームに参加する場合、ゲーム端末から個人の属性情報と初めての個人可変情報とシステムの動作に決めるパラメータを入力する。（１）
手順２  ユーザ管理データベースに個人の属性情報と個人可変情報とパラメータを登録する。（２）
手順３  登録後の所与の時期にユーザが分析または診断処理の要求を行う。（３）
手順４  ユーザ管理データベースに登録された当該ユーザの情報の最終更新日を参照する。（４）
手順５  個人可変情報の最終更新日時が当該実施形態でのデータ有効期限を過ぎている場合は、ユーザが新しい個人可変情報の入力する。（５）
手順６  新しい個人可変情報の重要度をこれまでに登録された個人可変情報と比較し、重要度が高ければ登録する。（６）
手順７  分析または診断処理を行う。（７）
手順８  分析または診断処理結果によってゲーム端末は所定のコメント、画像、音声、その他の電磁波や他の動作によってユーザに分析または診断処理の結果を伝える。（８）【００５２】  図２は個人可変情報の重要度の算出について、一例として分析要素を行動的とし、データを蓄積する上限範囲を１０件とした場合の処理を示したフローチャートである。分析要素が増えた場合は各要素ごとに同じ手順を繰りせば良い。
手順１  個人可変情報が入力される。（１）
手順２  入力された個人可変情報の分析要素について数値化する。これをＡｔとする。例えば行動的要素＋６ポイントなど。（２）
手順３  個人可変情報に基づく値Ａｔを含めて、ユーザ管理データベースの当該要素の平均値と集計回数の記録を更新する。（３）
手順４  属性情報に基づく当該時期についての個人分析結果から分析要素の予測値を出す。これをＮｔとする。（４）
手順５  属性情報に基づく値Ｎｔと個人可変情報に基づく値Ａｔの一致程度を算出する。（５）
手順６  属性情報に基づく値Ｎｔと個人可変情報Ａｔとのポイント差が多い場合ほど重要度を高く評価する。例えばＷｔ＝Ｎｔ−Ａｔとする。（６）
手順７  Ｗｔの値に基づいてすでに蓄積された個人可変情報と合わせて上位１０件を蓄積する。（７）
【産業上の利用可能性】
【００５３】例えば自動的に可変情報を収集する場合、そのままでは限りなく保存容量が増えるので、古い情報から削除して行く方法が一般的だが、さらに重要情報のみを蓄積することで保存領域を小さくすることが出来る。また、例えばインターネット上のコミュニケーションシステムで発言者との相性診断が可能になっていれば、見ず知らずの相手とのコミュニケーションにおいて、個人情報を公開せずに発言者のプロフィールについて注意を喚起する効果を生むことが出来る。
【図面の簡単な説明】
【００５４】
【図１】本実施形態のプログラムのプローチャートの一例である。
【図２】個人可変情報の重要度の判定処理プログラムのプローチャートの一例である。
【図１】
2006350983.tif 000003
【図２】
2006350983.tif 000004